(57)【特許請求の範囲】
【請求項１】
第１支点突起及び第２支点突起を備えたコネクタハウジングと、
前記第１支点突起に回動可能に係合するとともに、作用点突起ガイドを有する第１レバー部材と、
前記第２支点突起に回動可能に係合し、前記作用点突起ガイドに摺動可能に係合される作用点突起及び嵌合対象の他のコネクタに設けられた引込用突起が案内されて係止される案内係止溝を有する第２レバー部材と、
を備え、
前記第１レバー部材は、当該第１レバー部材の力点として作用し、自己の回動軸に沿って延在する操作バーを有し、前記操作バーは、所定の回動終端位置で、前記コネクタハウジングの外周面に対して所定の近接位置に対向配置され、
前記作用点突起ガイドは、前記第１レバー部材の回動操作に従って、前記第１支点突起と前記作用点突起との間の距離が変化するように形成されており、
前記案内係止溝は、前記回動終端位置側に向けて前記第１レバー部材を回動させるに伴って、前記第２レバー部材の回動中心から前記引込用突起までの距離が徐々に短くなるように案内経路が設定されている、
ＬＩＦコネクタ用レバー機構。
【請求項２】
前記作用点突起ガイドは、前記第１レバー部材の回動中心軸を中点とする円の半径上に延在する長孔として構成され、
前記第１レバー部材の回動操作時の前記作用点突起の軌跡は、前記第１レバー部材の回動軸と前記第２レバー部材の回動軸との間を通過するようにされている、
請求項１記載のＬＩＦコネクタ用レバー機構。
【請求項３】
前記コネクタハウジングは、前記操作バーの回動時に、前記操作バーに対向する面が前記操作バーの回動軌跡に対応する形状とされている、
請求項１又は請求項２に記載のＬＩＦコネクタ用レバー機構。
【請求項４】
前記第１支点突起及び第２支点突起は、前記コネクタハウジングの対向する一対の面にそれぞれ配置され、
前記第１レバー部材は、前記第１支点突起のそれぞれに回動可能に係合する回動係合孔及び前記一対の面のそれぞれに対応する一対の作用点突起ガイドを有し、
前記第２レバー部材は、前記一対の面のそれぞれに対応して一対設けられている、
請求項１乃至請求項３のいずれか１つに記載のＬＩＦコネクタ用レバー機構。
【請求項５】
引込ボスを有し、オス型端子あるいはメス型端子のうち、いずれか一方を収納した第１コネクタハウジングと、
前記オス型端子あるいは前記メス型端子のうち、いずれか他方を収納するとともに、第１支点突起及び第２支点突起を備えた第２コネクタハウジングと、
前記第１支点突起に回動可能に係合するとともに、作用点突起ガイドを有する第１レバー部材と、
前記第２支点突起に回動可能に係合し、前記作用点突起ガイドに摺動可能に係合される作用点突起及び嵌合対象の他のコネクタに設けられた引込用突起が案内されて係止される案内係止溝を有する第２レバー部材と、
を備え、
前記第１レバー部材は、当該第１レバー部材の力点として作用し、自己の回動軸に沿って延在する操作バーを有し、前記操作バーは、所定の回動終端位置で、前記第２コネクタハウジングの外周面に対して所定の近接位置に対向配置され、
前記作用点突起ガイドは、前記第１レバー部材の回動操作に従って、前記第１支点突起と前記作用点突起との間の距離が変化するように形成されており、
前記案内係止溝は、前記回動終端位置側に向けて前記第１レバー部材を回動させるに伴って、前記第２レバー部材の回動中心から前記引込用突起までの距離が徐々に短くなるように案内経路が設定されている、
ＬＩＦコネクタ。
【発明の詳細な説明】
【技術分野】
【０００１】
本発明は、ＬＩＦコネクタ用レバー機構及びＬＩＦコネクタに関する。
【背景技術】
【０００２】
近年、自動車等に用いられる電子部品として、複数の端子金具を有する雌雄の多極コネクタを低挿入力（LIF:Low Insertion Force）で嵌合させるＬＩＦ機構を有するＬＩＦコネクタが用いられている（たとえば、特許文献１参照）。
ＬＩＦコネクタの一例としては、相手方コネクタと電気的に結合するコネクタ本体と、そのコネクタ本体に摺動可能に設けられ、レバーにより梃子の原理で駆動されて相手方コネクタを結合位置に誘導し、かつ、結合位置で相手方コネクタをロックするスライダとを有するＬＩＦの機構構成などが挙げられる。
【先行技術文献】
【特許文献】
【０００３】
【特許文献１】特開２００２−２９８９８２号公報
【発明の概要】
【発明が解決しようとする課題】
【０００４】
ところで、上述したＬＩＦコネクタにおいては、梃子の原理を応用してコネクタ挿入力を低減させるため、原理的にレバーの力点と始点との間の長さをある程度大きくとる必要がある。
一般的にコネクタ本体（コネクタハウジング）の幅よりもレバーの長さが長くなるため、コネクタの嵌合時には、レバーがコネクタ本体の幅からはみ出すこととなるので、設置スペースが大きく必要となるという問題点があった。
【０００５】
本発明の目的は、上記の事情に鑑みてなされたものであって、ＬＩＦコネクタの低挿入力を維持しつつ、設置スペースを低減することが可能なＬＩＦコネクタ用レバー機構及びＬＩＦコネクタを提供することにある。
【課題を解決するための手段】
【０００６】
上記課題を解決するため、実施形態のＬＩＦコネクタ用レバー機構は、第１支点突起及び第２支点突起を備えたコネクタハウジングと、前記第１支点突起に回動可能に係合するとともに、作用点突起ガイドを有する第１レバー部材と、前記第２支点突起に回動可能に係合し、前記作用点突起ガイドに摺動可能に係合される作用点突起及び嵌合対象の他のコネクタに設けられた引込用突起が案内されて係止される案内係止溝を有する第２レバー部材と、を備え、前記第１レバー部材は、当該第１レバー部材の力点として作用し、自己の回動軸に沿って延在する操作バーを有し、前記操作バーは、所定の回動終端位置で、前記コネクタハウジングの外周面に対して所定の近接位置に対向配置され、前記作用点突起ガイドは、前記第１レバー部材の回動操作に従って、前記第１支点突起と前記作用点突起との間の距離が変化するように形成されており、前記案内係止溝は、前記回動終端位置側に向けて前記第１レバー部材を回動させるに伴って、前記第２レバー部材の回動中心から前記引込用突起までの距離が徐々に短くなるように案内経路が設定されている。
【０００７】
上記構成において、前記作用点突起ガイドは、前記第１レバー部材の回動中心軸を中点とする円の半径上に延在する長孔として構成され、前記第１レバー部材の回動操作時の前記作用点突起の軌跡は、前記第１レバー部材の回動軸と前記第２レバー部材の回動軸との間を通過するようにされているようにしてもよい。
【０００８】
また、前記コネクタハウジングは、前記操作バーの回動時に、前記操作バーに対向する面が前記操作バーの回動軌跡に対応する形状とされているようにしてもよい。
【０００９】
また、前記第１支点突起及び第２支点突起は、前記コネクタハウジングの対向する一対の面にそれぞれ配置され、前記第１レバー部材は、前記第１支点突起のそれぞれに回動可能に係合する回動係合孔及び前記一対の面のそれぞれに対応する一対の作用点突起ガイド孔を有し、前記第２レバーは、前記一対の面のそれぞれに対応して一対設けられているようにしてもよい。
【００１０】
また、実施形態のＬＩＦコネクタは、引込ボスを有し、オス型端子あるいはメス型端子のうち、いずれか一方を収納した第１コネクタハウジングと、前記オス型端子あるいは前記メス型端子のうち、いずれか他方を収納するとともに、第１支点突起及び第２支点突起を備えた第２コネクタハウジングと、前記第１支点突起に回動可能に係合するとともに、作用点突起ガイドを有する第１レバー部材と、前記第２支点突起に回動可能に係合し、前記作用点突起ガイドに摺動可能に係合される作用点突起及び嵌合対象の他のコネクタに設けられた引込用突起が案内されて係止される案内係止溝を有する第２レバー部材と、を備え、前記第１レバー部材は、当該第１レバー部材の力点として作用し、自己の回動軸に沿って延在する操作バーを有し、前記操作バーは、所定の回動終端位置で、前記第２コネクタハウジングの外周面に対して所定の近接位置に対向配置され、前記作用点突起ガイドは、前記第１レバー部材の回動操作に従って、前記第１支点突起と前記作用点突起との間の距離が変化するように形成されており、前記案内係止溝は、前記回動終端位置側に向けて前記第１レバー部材を回動させるに伴って、前記第２レバー部材の回動中心から前記引込用突起までの距離が徐々に短くなるように案内経路が設定されている。
【発明の効果】
【００１１】
実施形態のＬＩＦコネクタ用レバー機構及びＬＩＦコネクタによれば、ＬＩＦコネクタの低挿入力を維持しつつ、設置スペースを低減することが可能となる、という効果を奏する。
【図面の簡単な説明】
【００１２】
【図１】図１は、実施形態のＬＩＦコネクタ用レバー機構を備えたコネクタの一例の外観斜視図である。
【図２】図２は、図１のコネクタの分解斜視図である。
【図３】図３は、図１のコネクタに結合される他のコネクタの外観斜視図である。
【図４】図４は、嵌合対象の他のコネクタの引込ボスが挿入開口部１３Ｂに挿入される前の状態を説明する図である。
【図５Ａ】図５Ａは、コネクタ嵌合動作の説明図（その１）である。
【図５Ｂ】図５Ｂは、コネクタ嵌合動作の説明図（その２）である。
【図５Ｃ】図５Ｃは、コネクタ嵌合動作の説明図（その３）である。
【図５Ｄ】図５Ｄは、コネクタ嵌合動作の説明図（その４）である。
【図５Ｅ】図５Ｅは、コネクタ嵌合動作の説明図（その５）である。
【図５Ｆ】図５Ｆは、コネクタ嵌合動作の説明図（その６）である。
【図５Ｇ】図５Ｇは、コネクタ嵌合動作の説明図（その７）である。
【図５Ｈ】図５Ｈは、コネクタ嵌合動作の説明図（その８）である。
【発明を実施するための形態】
【００１３】
次に図面を参照して好適な実施形態について説明する。
図１は、実施形態のＬＩＦコネクタ用レバー機構を備えたコネクタの一例の外観斜視図である。
図２は、図１のコネクタの分解斜視図である。
図３は、図１のコネクタに結合される他のコネクタの外観斜視図である。
図１〜図３において、矢印Ｘ方向を嵌合方向（正方向：嵌合側、負方向：離脱側）、矢印Ｙ方向を幅方向、矢印Ｚ方向を高さ方向とする（以下、各図において、同じ）。
コネクタ１０は、大別すると、コネクタハウジング１１と、第１レバー部材１２と、一対の第２レバー部材１３と、を備えている。
【００１４】
コネクタハウジング１１は、側面部１１Ｓ１，１１Ｓ２のそれぞれに、第１支点ボス（第１支点突起）１１Ａが突設されている。さらにコネクタハウジング１１の側面部１１Ｓ１，１１Ｓ２のそれぞれには、第２支点ボス（第２支点突起）１１Ｂが突設されている。
【００１５】
コネクタハウジング１１の正面には、他のコネクタ１００と結合する際に案内を行う雄型ガイド壁部１１Ｃと、雄型ガイド壁部１１Ｃに囲まれて配置され、丸形雌端子１１Ｄを収納した一対の端子部１１Ｅと、を備えている。
さらにコネクタハウジング１１の両側部には、他のコネクタ１００に設けられたガイドアームが挿入されるガイド溝１１Ｆがそれぞれ設けられている。
コネクタハウジング１１の図１中、下方からは、コネクタハウジング１１の内部からケーブルＣＢ１、ＣＢ２が延出されている。
【００１６】
第１レバー部材１２は、コネクタハウジング１１に突設された第１支点ボス１１Ａにそれぞれ回動可能に係合する係合孔１２Ａと、係合孔１２Ａの中心から第１の方向ｄ１に延在する一対のリンクアーム１２Ｂと、一方のリンクアーム１２Ｂから他方のリンクアーム１２Ｂに至る操作バー１２Ｃと、係合孔１２Ａの中心から第１の方向ｄ１に対して交差する第２の方向ｄ２に沿って長孔として形成され、作用点突起ガイドとして機能する作用点ボスガイド孔１２Ｄと、を備えて一体に構成されている。
ここで、ボスガイド孔１２Ｄは、長孔として構成されているため、製造が容易であるとともに、確実に案内を行える。
【００１７】
第２レバー部材１３は、コネクタハウジング１１に突設された一方の第２支点ボス１１Ｂに回動可能に係合する係合孔１３Ａと、結合（嵌合）対象の他のコネクタ１００の引込ボスが挿入される挿入開口部１３Ｂと、挿入開口部１３Ｂから挿入された引込ボス１０１が奥に向かって挿入されるに従って第２支点ボス１１Ｂの中心からの引込ボス１０１までの距離が徐々に短くなるように引込突起の案内経路が設定された案内係止溝１３Ｃと、案内係止溝１３Ｃの両側に沿って形成され、引込ボス１０１に設けられている鍔部１０２が係合する鍔受け部１３Ｄと、第１レバー部材の作用点ボスガイド孔１２Ｄに係合する作用点ボス１３Ｅと、を備えている。
【００１８】
ここで、他のコネクタの構造について図３を参照して説明する。
他のコネクタ１００は、先端部において引込ボス１０１を支持するとともに、コネクタハウジング１１に設けられたガイド溝１１Ｆ内に先端部が挿入されて引込ボス１０１を所定位置に案内する一対のガイドアーム１０３と、コネクタ１０と結合する際にコネクタ１０の雄型ガイド壁部１１Ｃが挿入されて案内を行う雌型ガイド壁部１０４と、雌型ガイド壁部１０４Ｃに囲まれて配置され、雌端子１０５を収納した一対の端子部１０６と、を備えている。
【００１９】
次に実施形態の動作を説明する。
図４は、嵌合対象の他のコネクタの引込ボスが挿入開口部１３Ｂに挿入される前の状態を説明する図である。
【００２０】
作業者は、嵌合対象の他のコネクタ１００に対してコネクタ１０をＸ軸正方向挿入し、嵌合させるのに先だって、第１レバー部材１２を、図４において、反時計回りＣＣＷに回動させ、作用点ボスガイド孔１２Ｄの下端に第２レバー部材１３の作用点ボス１３Ｅが当接した状態とする。
【００２１】
この作用点ボスガイド孔１２Ｄの下端に第２レバー部材１３の作用点ボス１３Ｅが当接した状態において、リンクアーム１２Ｂの延在方向は、コネクタハウジング１１の天面１１Ｕに対して垂直方向に対して所定角度θだけ傾いている。これは、誤って第１レバー部材１２に対して図４中上方向から下向きの力が加わった場合でも、コネクタ１０及びコネクタ１００を嵌合させる回動方向（時計回り方向ＣＷ）にのみ力が働くようにして、コネクタ１０及びコネクタ１００が外れてしまうのを避けるためである。
【００２２】
図５は、コネクタ嵌合動作の説明図（その１）である。
図５Ａは、嵌合対象の他のコネクタの引込ボスが挿入開口部１３Ｂに挿入された直後の状態を説明する図である。
作業者は、図４に示した状態から、コネクタ１０を持って、他のコネクタ１００の一対のガイドアーム１０３の先端が、コネクタ１０のガイド溝１１Ｆに挿入されるようにする。
【００２３】
続いて作業者は、図５Ａに示すように、他のコネクタ１００の一対のガイドアーム１０３の先端に設けられた引込ボス１０１が一対の第２レバー部材１３のそれぞれの挿入開口部１３Ｂに挿入し、ガイドアーム１０３の先端がガイド溝１１Ｆの奥の壁に当接するように押し込む。
この結果、ガイドアーム１０３の先端の引込ボス１０１は、第２レバー部材１３の案内係止溝１３Ｃに当接することとなる。
【００２４】
図５Ｂは、第１レバー部材の回動開始直後の状態を説明する図である。
作業者は、引込ボス１０１が第２レバー部材１３の案内係止溝１３Ｃに当接するまで押し込んだ状態から、第１レバー部材１２を図５Ｂにおいて時計回りＣＷに回動させる。
【００２５】
これにより、第２レバー部材１３の作用点ボス１３Ｅは、図５Ｂに示すように、第１レバー部材１２の作用点ボスガイド孔１２Ｄに当接しつつ上昇する。これに伴い、第２レバー部材１３は、反時計回りＣＣＷに回動し、相対的に引込ボス１０１は、案内係止溝１３Ｃの奥に導かれる。
【００２６】
図５Ｃは、第１レバー部材の回動動作中の状態を説明する図（その１）である。
このとき、上述したように、案内係止溝１３Ｃは、挿入開口部１３Ｂから挿入された引込ボス１０１が奥に向かって挿入されるに従って第２支点ボス１１Ｂの中心（＝第２レバー部材１３の回動中心）から引込ボス１０１までの距離が徐々に短くなるように案内経路が設定されているので、コネクタハウジング１１は、図５Ｃ中、左方向（嵌合方向；Ｘ軸正方向側）に移動させられることとなり、コネクタ１００内に徐々に挿入されることとなる。
【００２７】
図５Ｄは、第１レバー部材の回動動作中の状態を説明する図（その２）である。
そして、作業者がさらに第１レバー部材１２を図５Ｄにおいて時計回りＣＷに回動させると、第２レバー部材１３の作用点ボス１３Ｅは、第１レバー部材１２の作用点ボスガイド孔１２Ｄの最上部に到達し、第２レバー部材１３は、反時計回りＣＣＷにさらに回転させられ、相対的に引込ボス１０１は、案内係止溝１３Ｃのさらに奥に導かれる。
【００２８】
このとき、コネクタハウジング１１の第１レバー部材１２の操作バー１２Ｃに対向する面１１Ｘは、操作バー１２Ｃの回動軌跡に対応する形状とされている。より詳細には、第１レバー部材１２の回動軸方向から見てコネクタハウジング１１の天面１１Ｕから背面１１ＢＫに向けて断面Ｒ形状とされている。
【００２９】
この結果、操作バー１２Ｃは、コネクタハウジング１１の周面に沿って近接した状態で回動することとなっている。
そして、操作バー１２Ｃのコネクタハウジング１１に対向する側の面は、図４に示した回動動作開始前の時点が最もコネクタハウジングの周面から離間しており、その離間距離は、操作バー１２Ｃの回動動作に従って、徐々に短くなる。すなわち、操作バー１２Ｃは、徐々にコネクタハウジングの周面に近づくこととなっている。
【００３０】
図５Ｅは、第１レバー部材１２の回動動作中の状態を説明する図（その３）である。
そして、作業者がさらに第１レバー部材１２を図５Ｅにおいて時計回りＣＷに回動させると、第２レバー部材１３の作用点ボス１３Ｅは、図５Ｅに示すように、第１レバー部材１２の作用点ボスガイド孔１２Ｄの最上部から今度は作用点ボスガイド孔１２Ｄに当接しつつ下降する。この場合も、第２レバー部材１３は、反時計回りＣＣＷにさらに回転させられ、相対的に引込ボス１０１は、案内係止溝１３Ｃのさらに奥に導かれる。
【００３１】
図５Ｆは、第１レバー部材１２の回動動作中の状態を説明する図（その４）である。
そして、作業者がさらに第１レバー部材１２を図５Ｆにおいて時計回りＣＷに回動させると、第２レバー部材１３の作用点ボス１３Ｅは、図５Ｆに示すように、作用点ボスガイド孔１２Ｄに当接しつつさらに下降し、第２レバー部材１３は、反時計回りＣＣＷにさらに回転させられて、相対的に引込ボス１０１は、案内係止溝１３Ｃのさらに奥へと導かれる。
【００３２】
図５Ｇは、第１レバー部材１２の回動動作中の状態を説明する図（その５）である。
そして、作業者がさらに第１レバー部材１２を図５Ｇにおいて時計回りＣＷに回動させると、第１レバー部材１２の操作バー１２Ｃは、コネクタハウジング１１の天面１１Ｕから背面１１ＢＫに至る面１１Ｘに沿って回動し、この時点では、背面１１ＢＫにほぼ平行な状態まで近づくこととなっている。
【００３３】
そして、第２レバー部材１３の作用点ボス１３Ｅは、図５Ｇに示すように、作用点ボスガイド孔１２Ｄに当接しつつさらに下降し、第２レバー部材１３は、反時計回りＣＣＷにさらに回転させられ、相対的に引込ボス１０１は、案内係止溝１３Ｃのさらに奥へと導かれることとなる。
以上の図５Ｃ〜図５Ｇに示した第１レバー部材の回動操作の間に、作用点ボス１３Ｅ（作用点突起）の回動軌跡は、第１レバー部材の回動軸（第１支点ボス［第１支点突起］１１Ａの中心を通り、Ｙ軸に平行な軸）と第２レバー部材の回動軸（第２支点ボス［第２支点突起］１１Ｂの中心を通り、Ｙ軸に平行な軸）との間を通過するようにされているので、第１レバー部材１２と第２レバー部材１３とで構成されているリンクの動きに無駄が無く、第１レバー部材１２の回動操作及び第２レバー部材１３の回動操作をスムーズに行え、ひいては、コネクタの嵌合操作をスムーズに行える。
【００３４】
図５Ｈは、第１レバー部材が回動終端位置に至った状態を説明する図である。
作業者がさらに第１レバー部材１２を図５Ｇにおいて時計回りＣＷに回動させると、第２レバー部材１３の作用点ボス１３Ｅは、図５Ｈに示すように、作用点ボスガイド孔１２Ｄに当接しつつさらに下降し、作用点ボスガイド孔１２Ｄの下端に達する。
このとき、第２レバー部材１３は、反時計回りにさらに回転させられて、相対的に引込ボス１０１は、案内係止溝１３Ｃの最も奥へと導かれる。
上述したように、図５Ａ〜図５Ｈに示した第１レバー部材１２の回動操作に従って、作用点ボスガイド孔１２Ｄ（作用点突起ガイド）は、第１支点ボス１１Ａ（第１支点突起）と作用点ボス１３Ｅ（作用点突起）との間の距離が変化するように形成されているので無理なく第１レバー部材１２の回動操作が行える。
【００３５】
上述したように、案内係止溝１３Ｃの最も奥は、第２支点ボス１１Ｂの中心からの引込ボスまでの距離が最も短くなっているので、コネクタハウジング１１は、図５Ｈに示すように、最も左方向に移動させられることとなり、コネクタ１０は、コネクタ１００に完全に挿入された状態となる。
したがって、確実に電気的な結合を図ることが可能となる。
【００３６】
このとき、コネクタハウジング１１の第１レバー部材１２の操作バー１２Ｃは、コネクタハウジング１１の背面に対向する位置となり、コネクタハウジング１１と操作バー１２Ｃとは、近接状態となる。
【００３７】
したがって、図５Ｈ中で、コネクタ１０の左右方向の厚さは、コネクタハウジング１１の左右方向の厚さ＋操作バー１２Ｃの厚さ＋コネクタハウジング１１と操作バー１２Ｃとの離間距離（遊び）となり、左右方向に操作アームが大きく延在することは無く、作業スペースを確保する必要がないので、大幅に省スペース化（省設置スペース化）を図ることができる。
【００３８】
以上の説明のように、本実施形態のＬＩＦコネクタ用レバー機構及びＬＩＦコネクタによれば、ＬＩＦコネクタの低挿入力を維持しつつ、設置スペースを低減することが可能となる。
【００３９】
以上、本発明を実施形態をもとに説明したが、この実施形態は例示であり、それらの各構成要素及びその組合せにいろいろな変形例が可能なこと、またそうした変形例も本発明の範囲にあることは当業者に理解されるところである。
【００４０】
例えば、以上の説明においては、コネクタハウジング１１に一対の第１支点ボス１１Ａ（第１支点突起）及び第２支点ボス１１Ｂ（第２支点突起）を備え、第１レバー部材１２を一対の第１支点ボス１１Ａにそれぞれ回動可能に係合し、コネクタハウジングの一対の第２支点ボス１１Ｂに第２レバー部材１３をそれぞれ回動可能に係合し、第１レバー部材１２の作用点ボスガイド孔（作用点突起ガイド）１２Ｄに第２レバー部材１３の作用点ボス１３Ｅ（作用点突起）をそれぞれ摺動可能に係合させる構成を採っていたが、コネクタハウジングの中央部に一組の第１レバー部材、第２レバー部材及びガイド溝を設け、他のコネクタの中央部にガイド溝に挿入される引込ボスを備えたガイドアーム１０３を設けるように構成することも可能である。なおこの場合には、操作レバーは、第１レバー部材のリンクアーム部に外観視、Ｔ字形状に設けられるようにすればよい。
【００４１】
以上の説明においては、作用点突起ガイドとして作用点ボスガイド孔１２Ｄを長孔（貫通孔）として形成していたが、第２レバー部材１３の作用点ボス１３Ｅ（作用点突起）が外観的に視認できないように手前側が塞がれた長溝として構成することも可能である。
【符号の説明】
【００４２】
１０    コネクタ
１１    コネクタハウジング
１１Ａ  第１支点ボス（第１支点突起）
１１Ｂ  第２支点ボス（第２支点突起）
１１Ｃ  雄型ガイド壁部
１１Ｄ  丸形雌端子
１１Ｅ  端子部
１１Ｆ  ガイド溝
１２    第１レバー部材
１２Ａ  係合孔
１２Ｂ  リンクアーム
１２Ｃ  操作バー
１２Ｄ  作用点ボスガイド孔（作用点突起ガイド）
１３    第２レバー部材
１３Ａ  係合孔
１３Ｂ  挿入開口部
１３Ｃ  案内係止溝
１３Ｄ  鍔受け部
１３Ｅ  作用点ボス（作用点突起）
【図１】
0006355985.tif 000002
【図２】
0006355985.tif 000003
【図３】
0006355985.tif 000004
【図４】
0006355985.tif 000005
【図５Ａ】
0006355985.tif 000006
【図５Ｂ】
0006355985.tif 000007
【図５Ｃ】
0006355985.tif 000008
【図５Ｄ】
0006355985.tif 000009
【図５Ｅ】
0006355985.tif 000010
【図５Ｆ】
0006355985.tif 000011
【図５Ｇ】
0006355985.tif 000012
【図５Ｈ】
0006355985.tif 000013